(57)【特許請求の範囲】
【請求項１】
既設の風力発電設備の風車羽根（ブレード）及びその機能部品等の補修作業を行うためのメンテナンス工法であって、何の手掛かりもない先細り円筒状の形状の風力発電タワーの外周面の基端近くに垂直に立設したラックレールに、両端に強力マグネットを固定した所定長さのラックレール架設板を該風力発電タワーの外周面の上下２個所に所定間隔を隔てて固着する作業工程と、上下２個所のラックレール架設板の間に、所定長さのラックレールを垂直に架設する作業工程と、垂直に架設したラックレール上に昇降用の駆動装置を一体にしたメンテナンス用昇降機を設置する作業工程と、メンテナンス用昇降機を上昇させ、上昇させたメンテナンス用昇降機に乗って上記作業を繰り返し、順次ラックレール架設板を固定させてラックレールを上方に延ばし、風力発電タワーの頂端までラックレールを順次継ぎ足していく作業工程と、風力発電タワーの頂端に吊り上げ用の滑車付バンドを巻き付け固定する作業工程と、メンテナンス用昇降機の駆動装置にブレード点検用作業台を連結し、メンテナンス用昇降機の駆動装置と滑車付バンドの滑車及び地上に設置したウィンチ巻き上げ機との合成力によりブレード点検用作業台を所定位置まで移動させる作業工程と、ブレード点検用作業台の移動により、ブレードの先端から根元まで補修可能とした作業工程とからなることを特徴とする風力発電設備の風車羽根のメンテナンス工法。
【請求項２】
前記ラックレール架設板の両端に固定した強力マグネットを前記先細り円筒状の形状の風力発電タワーの外周面の所定位置に固着するにあたり、ブラケットを用いて強力マグネットを固着することを特徴とする請求項１記載の風力発電設備の風車羽根のメンテナンス工法。
【請求項３】
前記ブラケットは、前記先細り円筒状の形状の風力発電タワーの外周面に固着できるように、強力マグネットの角度が調整できるようにしたことを特徴とする請求項２記載の風力発電設備の風車羽根のメンテナンス工法。
【請求項４】
前記ブラケットは、前記先細り円筒状の形状の風力発電タワーの外周面に前記強力マグネットを固着するとともに前記風力発電タワーの外周面から前記強力マグネットを取り外すためのマグネット操作治具を付設したことを特徴とする請求項２記載の風力発電設備の風車羽根のメンテナンス工法。
【請求項５】
ブレード点検用作業台をメンテナンス用昇降機の駆動装置に連結するにあたり、ブレード点検用作業台の基端は、上下、左右に移動可能なフレキシブルジョイントにより連結することを特徴とする請求項１記載の風力発電設備の風車羽根のメンテナンス工法。
【請求項６】
ブレード点検用作業台を所定位置まで移動させるにあたり、滑車付バンドの滑車及び地上に設置したウィンチ巻き上げ機とメンテナンス用昇降機の駆動装置とを同期を取って移動することを特徴とする請求項１記載の風力発電設備の風車羽根のメンテナンス工法。
【請求項７】
ブレード点検用作業台でブレードを補修するにあたり、移動式足場をブレード点検用作業台に付設してブレードの裏側を補修可能としたことを特徴とする請求項１記載の風力発電設備の風車羽根のメンテナンス工法。
【発明の詳細な説明】
【技術分野】
【０００１】
本発明は、既設の風力発電設備の風車羽根（ブレード）及びその機能部品等が、経年劣化や落雷等によって傷んだ時の補修・交換作業を、大型クレーンを使わないで、極力、少ない工費と工期で行うための風力発電設備の風車羽根のメンテナンス工法に関する。
【背景技術】
【０００２】
文明・文化の進歩発展は、必然的に電力需要の増大を伴うことになるが、水力発電に適した地域には限りがあり、化石燃料に頼る火力発電も、燃料資源が有限なうえに、自然環境を損ない、原子力発電は、放射能による危険が付きまとっている。そこで、昨今では、資源浪費や環境破壊の恐れが無い、風力発電に対する認識が急速に深まりつつある。
【０００３】
風力発電タワーは、鋼鉄を主材として作られているので、建設後、年数が経つにつれタワーの清掃、塗装の他、風車羽根（ブレード）の点検、補修等メンテナンスの回数も多くなり、これらのメンテナンスは風力発電タワーの外側からアクセスする必要があり、タワーが鉄骨で組まれているような場合は、その鉄骨にガイドを設けて、ガイドに沿って受台を昇降させて、風車羽根（ブレード）を補修、交換する。
【０００４】
日本全国に建設された風力発電設備としての風力発電タワーは、多くの場合、辺地の丘陵・原野地域に設置されている。そして、風力発電タワーの設置場所を公園の様に整備して、辺地の活性化にも役立て様としている。そのため、風力発電タワーを鉄骨で組む構造から筒状の塔に変えて見栄えをよくする試みがなされている。
【０００５】
このような筒状の塔への外側からのアクセスは、外周面に何の手掛かりもないので、風力発電タワーの構築時に用いた様な大型クレーンを現地に運ぶことになる。そのような場所に大型クレーンを風力発電タワーの近くまで持ち込むには、道路の確保、鉄板養生等の附帯作業も必要となり、それに伴うクレーンの運搬・運転費等の人件費も多く発生し、これ等の作業によって、折角、築き上げ、歳月を経て育て上げた園地が荒らされてしまうことになり、その補修復元に要する工費、園地の使用休止に伴う損失等も甚だ無視し難い。又、風力発電タワーの設置場所が牧草地なら鉄板養生のために傷んだ牧草地の復旧、牧草地復旧までの補償費、農地一時転用等の諸手続き等が生じていた。
【０００６】
従来、外側からのメンテナンスは、その大型クレーンの先端にゴンドラ等を吊り、その中に作業者を乗せて点検、補修するのが一般的であるが、その高さ（６０〜８０メートル）ゆえに非常に困難で自由度も狭く、不安定な体勢から満足のいく作業が出来なかった。当然風が強くなればゴンドラは揺れ、危険作業となり、突然作業中止を余儀なくされ、工期が延長され費用も多く掛かっていた。
【０００７】
本願出願人は、既に、大型クレーンを使わないで、風力発電タワー等の大型の筒状タワーを塗装し直す補修工法（例えば、特許文献１参照）と、その補修工法を用いて既設の風力発電設備の風車羽根（ブレード）及びその機能部品等が、経年劣化や落雷等によって傷んだ時の補修・交換作業を、大型クレーンを使わないで、極力、少ない工費と工期で行うための風力発電設備の風車羽根のメンテナンス工法及びメンテナンス装置を開発した（例えば、特許文献２参照）。
【先行技術文献】
【特許文献】
【０００８】
【特許文献１】特開２００５−２８７５号公報
【特許文献２】ＷＯ２００９−１０１６９７号公報
【発明の開示】
【発明が解決しようとする課題】
【０００９】
しかしながら、特許文献１、特許文献２に示した補修工法、メンテナンス工法及びメンテナンス装置は、図１６に示すように、筒状の風力発電タワー１００の外周面１０１に手掛かりをつけるため、４名の作業工程員が基端近くの上下２個所に所定間隔を隔てて金属帯固定バンド１０５を着脱自在に巻付固定させ、上下１組の金属帯固定バンド間に、４本の所定長さのラックレール１０６を着脱自在に架設させ、それぞれのラックレール上に昇降用の駆動装置を備えた４台のメンテナンス用昇降機１０８を設置して４名の作業工程員を載せて移動させ、再び金属帯固定バンド１０５を巻いてラックレール１０６を上方に延ばし、風力発電タワーの頂端までラックレール１０６を順次継ぎ足していく作業工程と、ラックレール１０６に設置されたメンテナンス用昇降機１０８を利用して、風力発電タワーの頂端に、吊り上げ用の滑車付バンドを巻き付け固定して、滑車付バンドの滑車と地上に設置したウィンチ巻き上げ機によりメンテナンス用作業ステージを所定位置まで移動させて風車羽根の先端から根元まで補修可能とした作業工程とによって成り立っているので、金属帯固定バンドを巻付固定させ、４本の所定長さのラックレールを着脱自在に架設させるにあたり、４台のメンテナンス用昇降機と４名の作業工程員がそれぞれ必要であった。
【００１０】
本発明は、画期的な作業工程を開発することにより、４本のラックレールに架設させた４台のメンテナンス用昇降機と４名の作業工程員とが必要であった作業工程を、１本のラックレールに架設させた１台のメンテナンス用昇降機と少数の作業工程員によって可能となる風力発電設備の風車羽根のメンテナンス工法を提供することを目的とする。
【課題を解決するための手段】
【００１１】
上記目的を達成するため、請求項１記載の発明は、既設の風力発電設備の風車羽根（ブレード）及びその機能部品等の補修作業を行うためのメンテナンス工法であって、何の手掛かりもない先細り円筒状の形状の風力発電タワーの外周面の基端近くに垂直に立設したラックレールに、両端に強力マグネットを固定した所定長さのラックレール架設板を該風力発電タワーの外周面の上下２個所に所定間隔を隔てて固着する作業工程と、上下２個所のラックレール架設板の間に、所定長さのラックレールを垂直に架設する作業工程と、垂直に架設したラックレール上に昇降用の駆動装置を一体にしたメンテナンス用昇降機を設置する作業工程と、メンテナンス用昇降機を上昇させ、上昇させたメンテナンス用昇降機に乗って上記作業を繰り返し、順次ラックレール架設板を固定させてラックレールを上方に延ばし、風力発電タワーの頂端までラックレールを順次継ぎ足していく作業工程と、風力発電タワーの頂端に吊り上げ用の滑車付バンドを巻き付け固定する作業工程と、メンテナンス用昇降機の駆動装置にブレード点検用作業台を連結し、メンテナンス用昇降機の駆動装置と滑車付バンドの滑車及び地上に設置したウィンチ巻き上げ機との合成力によりブレード点検用作業台を所定位置まで移動させる作業工程と、ブレード点検用作業台の移動により、ブレードの先端から根元まで補修可能とした作業工程とからなることを特徴とするものである。
【００１２】
また、請求項２記載の発明は、請求項１記載の風力発電設備の風車羽根のメンテナンス工法であって、ラックレール架設板の両端に固定した強力マグネットを先細り円筒状の形状の風力発電タワーの外周面の所定位置に固着するにあたり、ブラケットを用いて強力マグネットを固着することを特徴とするものである。
【００１３】
また、請求項３記載の発明は、請求項２記載の風力発電設備の風車羽根のメンテナンス工法であって、ブラケットは、先細り円筒状の形状の風力発電タワーの外周面に固着できるように、強力マグネットの角度が調整できるようにしたことを特徴とするものである。
【００１４】
また、請求項４記載の発明は、請求項２記載の風力発電設備の風車羽根のメンテナンス工法であって、ブラケットは、先細り円筒状の形状の風力発電タワーの外周面に強力マグネットを固着するとともに風力発電タワーの外周面から強力マグネットを取り外すためのマグネット操作治具を付設したことを特徴とするものである。
【００１５】
また、請求項５記載の発明は、請求項１記載の風力発電設備の風車羽根のメンテナンス工法であって、ブレード点検用作業台をメンテナンス用昇降機の駆動装置に連結するにあたり、ブレード点検用作業台の基端は、上下、左右に移動可能なフレキシブルジョイントにより連結することを特徴とするものである。
【００１６】
また、請求項６記載の発明は、請求項１記載の風力発電設備の風車羽根のメンテナンス工法であって、ブレード点検用作業台を所定位置まで移動させるにあたり、滑車付バンドの滑車及び地上に設置したウィンチ巻き上げ機とメンテナンス用昇降機の駆動装置とを同期を取って移動することを特徴とするものである。
【００１７】
また、請求項７記載の発明は、請求項１記載の風力発電設備の風車羽根のメンテナンス工法であって、ブレード点検用作業台でブレードを補修するにあたり、移動式足場をブレード点検用作業台に付設してブレードの裏側を補修可能としたことを特徴とするものである。
【発明の効果】
【００１８】
本発明による風力発電設備の風車羽根のメンテナンス工法によれば、何の手掛かりもない先細り円筒状の形状の風力発電タワーの外周面の基端近くに垂直に立設したラックレールに、両端に強力マグネットを固定した所定長さのラックレール架設板を該風力発電タワーの外周面の上下２個所に所定間隔を隔てて固着する作業工程と、上下２個所のラックレール架設板の間に、所定長さのラックレールを垂直に架設する作業工程と、垂直に架設したラックレール上に昇降用の駆動装置を一体にしたメンテナンス用昇降機を設置する作業工程と、メンテナンス用昇降機を上昇させ、上昇させたメンテナンス用昇降機に乗って上記作業を繰り返し、順次ラックレール架設板を固定させてラックレールを上方に延ばし、風力発電タワーの頂端までラックレールを順次継ぎ足していく作業工程と、風力発電タワーの頂端に吊り上げ用の滑車付バンドを巻き付け固定する作業工程と、メンテナンス用昇降機の駆動装置にブレード点検用作業台を連結し、メンテナンス用昇降機の駆動装置と滑車付バンドの滑車及び地上に設置したウィンチ巻き上げ機との合成力によりブレード点検用作業台を所定位置まで移動させる作業工程と、ブレード点検用作業台の移動により、ブレードの先端から根元まで補修可能とした作業工程とからなるので、４台のメンテナンス用昇降機と４名の作業工程員とが必要であった作業工程を、１台のメンテナンス用昇降機と少数の作業工程員によって可能とすることができる。
【００１９】
また、請求項２記載の発明によれば、ラックレール架設板の両端に固定した強力マグネットを先細り円筒状の形状の風力発電タワーの外周面の所定位置に固着するにあたり、ブラケットを用いて強力マグネットを固着するので、正確な位置に強力マグネットを固着することができる。
【００２０】
また、請求項３記載の発明によれば、ブラケットは、先細り円筒状の形状の風力発電タワーの外周面に固着できるように、強力マグネットの角度が調整できるようにしたので、固着させる位置に応じて固着することができる。
【００２１】
また、請求項４記載の発明によれば、ブラケットは、先細り円筒状の形状の風力発電タワーの外周面に強力マグネットを固着するとともに風力発電タワーの外周面から強力マグネットを取り外すためのマグネット操作治具を付設したので、簡単な操作で強力マグネットを固着したり取り外すことができる。
【００２２】
また、請求項５記載の発明によれば、ブレード点検用作業台をメンテナンス用昇降機の駆動装置に連結するにあたり、ブレード点検用作業台の基端は、上下、左右に移動可能なフレキシブルジョイントにより連結したので、ブレード点検用作業台を移動させたとき風力、風向等の変動に対応することができる。
【００２３】
また、請求項６記載の発明によれば、ブレード点検用作業台を所定位置まで移動させるにあたり、滑車付バンドの滑車及び地上に設置したウィンチ巻き上げ機とメンテナンス用昇降機の駆動装置とを同期を取って移動するようにしたので、ブレード点検用作業台が傾くことなく移動することができる。
【００２４】
また、請求項７記載の発明によれば、ブレード点検用作業台でブレードを補修するにあたり、移動式足場をブレード点検用作業台に付設したので、ブレードを一回転させなくてもブレードの裏側を補修することができる。
【図面の簡単な説明】
【００２５】
【図１】（ａ）〜（ｃ）は、本発明による風力発電設備の風車羽根のメンテナンス工法の一実施例である風力発電タワーに風車羽根を付けたままで補修するメンテナンス工法の概略を実施手順に沿って示した説明図である。
【図２】（ａ）〜（ｄ）は、第１実施例におけるラックレール架設板にマグネット及びラックレールを取付けた状態を示す組立概念図である。
【図３】（ａ）〜（ｂ）は、第１実施例におけるブラケットの動作概念図である。
【図４】第１実施例におけるラックレール架設板及びラックレールを風力発電タワーの外周面に固着させた状態を示し，（ａ）は正面図、（ｂ）は先端部の平面図、（ｃ）は基端部の平面図である。
【図５】ブレード点検用作業台とメンテナンス用昇降機の連結状態を示す側面図である。
【図６】ブレード点検用作業台の基端部分を示す概念図である。
【図７】ブレード点検用作業台の移動式足場を示す概念図である。
【図８】ブレード点検用作業台を滑車付バンドの滑車及び地上に設置したウィンチ巻き上げ機とメンテナンス用昇降機の駆動装置により移動させる状態を示す概念図である。
【図９】メンテナンス用昇降機の昇降用の駆動装置と制動装置を示す概念図である。
【図１０】第２実施例におけるラックレール架設板にマグネット及びラックレールを取付けた状態を示す組立概念図である。
【図１１】（ａ）〜（ｆ）は、第２実施例におけるマグネットを風力発電タワーの外周面に固着させる手順を示した説明図である。
【図１２】第２実施例におけるラックレール架設板及びラックレールを風力発電タワーの外周面に固着させた状態を示し，（ａ）は正面図、（ｂ）は平面図である。
【図１３】第２実施例におけるマグネット位置決め治具を示し、（ａ）は正面図、（ｂ）は上面図である。
【図１４】第２実施例におけるマグネット取り外し治具を示し、（ａ）は概念図、（ｂ）〜（ｄ）はマグネットを取り外す手順を示した説明図である。
【図１５】風力発電設備を示し，（ａ）は側面図、（ｂ）は風車羽根部分の拡大図である。
【図１６】風力発電タワーの外周面にラックレールを架設する従来例の説明図である。
【発明を実施するための最良の形態】
【００２６】
本発明の実施の形態を、添付図面に例示した本発明の実施例に基づいて以下に具体的に説明する。
【実施例】
【００２７】
日本全国に建設された風力発電設備１００の殆んどが、図１５（ａ）に示した様に、コンクリート打設基礎Ｇの上に構築した、先細り円筒状の風力発電タワー１０１の上端に、水平軸プロペラ型の３枚羽根の風車１０２によって回転駆動される発電機１０３を据え付けた構造であり、風車１０２のボス１０２ｂに、風車羽根１０２ａが着脱自在に取付けられる。風車羽根１０２ａは、風速の変動に対応すべく、図示は省いたが、その基端部に可変ピッチ機構が組込まれている。
【００２８】
風車１０２は、各メーカー、各機種毎に、大きさ、長さ、角度が異なり、１つの風車であっても、図１５（ｂ）に示した様に、風車羽根１０２ａの大きさ（断面）は、風車１０２のボス１０２ｂに取付けられた基端部分の断面は円形を為し、基端部分から先端部分に向かって断面の大きさが漸次小さくなり、更に、風車羽根１０２ａを垂下状に位置させたときの風車羽根１０２ａと風車タワー１０１の距離は、風車羽根１０２ａの先端部分に向かって風力発電タワー１０１から離れるような距離となる。
【００２９】
風力発電タワー１０１の内部には、発電機１０３の点検・補修の際に、人や物を運ぶ為の昇降装置又は昇降路（図示略）が設けられている。然し、風力発電タワー１０１の外周面については何の手掛かりもないため、風車羽根１０２ａの補修、交換作業を行う時には、従来は、その都度、大型クレーンを現地に運んだり、大掛かりな作業用櫓を組み立てていた。それには、既述の様に、クレーンの運搬・運転や、作業用櫓の構築・撤去の為の、かなり高額な支出を要する。
【００３０】
その上、風力発電タワー群の設置域一帯をレジャー施設化して、地域振興の一助としている場合には、作業によって荒らされた園地の修復にかなりの年月を要し、その間は、休園を余儀なくされることもある。
【００３１】
この難点の多い在来工法に代わるものとして開発されたのが、本願出願人の先願発明（特開２００５−２８７５号公報）による風力発電タワー等の補修工法及び補修装置であり、それにより、何の手掛かりもない風力発電タワー１０１の外周面に、メンテナンスの手掛かりとなる４本の所定長さのラックレールを取り付けることに成功したが、その取付工法は、前述したように、金属帯固定バンドを巻付固定させ、４本の所定長さのラックレールを着脱自在に架設させるにあたり、４台のメンテナンス用昇降機と４名の作業工程員を必要とする難点があった。
【００３２】
本発明は、メンテナンスの手掛かりとなるラックレールを取り付けるための画期的な作業工程を開発することにより、風力発電設備の風車羽根のメンテナンス工法を少ない工費と工期で実現可能としたもので、以下図面を参照しながら説明する。
【００３３】
先ず、経年劣化等により傷んだ風車羽根（ブレード）を取り外すことなく、風力発電タワー１０１に風車羽根（ブレード）を付けたままで補修するメンテナンス工法の概略を図１（ａ）〜（ｃ）を用いて説明する。
【００３４】
図１（ａ）に示すように、何の手掛かりもない先細り円筒状の形状の風力発電タワー１０１の外周面の基端近くに垂直に立設したラックレール１０に、両端に強力マグネット２０を固定した所定長さのラックレール架設板３０を風力発電タワー１０１の外周面の上下２個所に所定間隔を隔てて固着させ、上下２個所のラックレール架設板３０の間に順次垂直にラックレール１０を架設し、ラックレール１０上に昇降用の駆動装置４０を備えたメンテナンス用昇降機５０を設置して上昇させ、上昇させたメンテナンス用昇降機５０に乗り込んだ作業工程員Ｈｕが、更にラックレール架設板３０を固着させる。なお、作業工程員Ｈｕは、安全確保のため安全ロープＡｒを身に付けている。
【００３５】
次に、図１（ｂ）に示すように、メンテナンス用昇降機５０に乗り込んだ作業工程員Ｈｕが、ラックレール架設板３０、ラックレール１０を、更に上方に延ばし、風力発電タワー１０１の頂端までラックレール１０を順次継ぎ足していき、風力発電タワー１０１の頂端に吊り上げ用の滑車６２を有する滑車付バンド６０を巻き付け固定する。
【００３６】
次に、図１（ｃ）に示すように、風力発電タワー１０１の頂端までラックレール１０を架設したら、一旦、メンテナンス用昇降機５０を降ろし、メンテナンス用昇降機５０とブレード点検用作業台７０とを連結し、吊りワイヤー６７、支線ワイヤー６８によりブレード点検用作業台７０の先端を支えつつブレード点検用作業台７０を所定位置まで移動させ、風力発電タワー１０１に風車羽根（ブレード）を付けたままでブレード点検用作業台７０上の作業工程員Ｈｕにより風車羽根（ブレード）１０２ａの先端から根元まで補修することが可能となる。
【００３７】
次に、ラックレール架設板３０の第１実施例を説明する。ラックレール架設板３０は、図２（ａ）に示すように、角パイプ材３１で形成され、角パイプ材３１の後面側の両端にブラケット固定ホルダー３２Ｒ、３２Ｌが溶接され、前面側の中央にはラックレール１０を架設するレール架設部３４が溶接されたレール架設ホルダー３３が螺着される。ブラケット固定ホルダー３２Ｒ、３２Ｌにはそれぞれ強力マグネット２０を具備したブラケット２１が回転自在に固定される。
【００３８】
ブラケット２１は、図２（ｂ）に示すように、強力マグネット２０を螺着するフォルダー２２、ブラケット固定ホルダー取り付け部２３を備え、ラックレール架設板３０の両端に溶接されたブラケット固定ホルダー３２Ｒ、３２Ｌに回転自在にボルト締めされ、先細り円筒状の形状の風力発電タワーの外周面の所定位置に強力マグネットが固着できるように、角度を可変調整できるようにしたものである。更に、風力発電タワー１０１の外周面に強力マグネット２０を固定するとともに風力発電タワー１０１の外周面から強力マグネット２０を取り外すために使用するマグネット操作治具２４が付設される。マグネット操作治具２４は、強力マグネット２０を固定しかつ取り外すための偏心円板２５と偏心円板２５を回転させる回転レバー２６を有する。
【００３９】
ラックレール１０は、図２（ｃ）に示すように、レール架設部３４にボルト止めされ、ラックレール１０の外側面には、その全長にわたって、ラック１１が設置されている。又、ラックレール１０の片側はレールジョイント１２による差し込み構造となっており、順次ラックレール１０を継ぎ足して連結出来る構造となっている。１本のラックレール１０の長さは、起立姿勢の作業者が手を上に伸ばして届く程度の定寸に設定している。
【００４０】
この第１実施例によるラックレール架設板３０を風力発電タワー１０１の外周面に取付ける具体的手順を説明する。先ず、何の手掛かりもない風力発電タワー１０１の外周面の基端近くに、１本目となるラックレール１０を水準器Ｓｈを使用して垂直に立設する。次に、垂直に立設したラックレール１０にレール架設部３４を介してラックレール架設板３０を形成する角パイプ材３１を螺着する（図２（ｃ））。
【００４１】
次に、ラックレール架設板３０を形成する角パイプ材３１の後面側の両端に溶接されたブラケット固定ホルダー３２Ｒ、３２Ｌにブラケット２１のブラケット固定ホルダー取り付け部２３を差込み、回転自在にボルト締めする（図２（ｄ））。なお、このとき、強力マグネット２０を螺着するフォルダー２２はマグネット操作治具２４の偏心円板２５により風力発電タワー１０１の外周面に密着されてないので、強力マグネット２０は風力発電タワー１０１の外周面に固着していない（図３（ａ））。この状態から回転レバー２６を着磁側に回転させるとフォルダー２２が風力発電タワー１０１の外周面に密着され（図３（ｂ））強力マグネット２０は風力発電タワー１０１の外周面に固着され、１段目のラックレール架設板３０を風力発電タワー１０１の外周面に固着する。
【００４２】
１本目のラックレール１０を架設し終えたら、そのラックレール上に昇降用の駆動装置４０を備えたメンテナンス用昇降機５０を設置し、昇降用の駆動装置４０により上昇させて、上昇させたメンテナンス用昇降機５０に乗り込んだ作業工程員Ｈｕが２本目のラックレール１０を１本目のラックレール１０のレールジョイント１２に差し込んで連結し、２本目のラックレール１０を水準器Ｓｈを使用して垂直に立設する。２本目のラックレール１０に２段目のラックレール架設板３０を螺着し、ブラケット２１に螺着された強力マグネット２０を風力発電タワー１０１の外周面に固着する。更に、３本目のラックレール１０を２本目のラックレール１０に差し込んで連結し、水準器Ｓｈを使用して垂直に立設する（図４（ａ））。なお、ラックレール架設板３０を風力発電タワー１０１の外周面に固着させるにあたり、ラックレール架設板３０は直線状であるのに対し、風力発電タワー１０１は先細り円筒状の形状であり、その外周面は基端部では大きく（図４（ｃ））、先端部では小さな（図４（ｂ））弧をなしているため、固着させる位置に応じてブラケット２１により強力マグネット２０の角度を調整している。以下、同様にして、ラックレール架設板３０、ラックレール１０を上方に延ばし、風力発電タワー１０１の頂端までラックレール１０を順次継ぎ足していく。なお、作業工程員Ｈｕは、安全確保のため安全ロープＡｒを身に付けている（図１（ａ））。
【００４３】
メンテナンス用昇降機５０の昇降用の駆動装置４０は、図９に示すように、ラックレール１０のラック１１に噛合うピニオン４１と、この噛合状態を保たせる為に、ピニオン４１と協動してラックレール１０を挟み付ける挟付用ローラ４２とを備え、ピニオン４１の回転軸には、その回転駆動用のモータ、又は内燃機関（図示略）の出力軸を連結して、メンテナンス用昇降機５０を昇降動させている。また、制動にあたっては、機械的ブレーキのウォーム減速機４３及び電気的トラブルに作動する電磁ブレーキ４４の２系統を配し、より安全なものとした。
【００４４】
これらメンテナンス用昇降機５０及びラックレール１０の全重量は直接コンクリート打設基礎Ｇへ加える形とし、風力発電タワー１０１へはなんら荷重を加えない構造とした。したがって、メンテナンス用昇降機５０は、宙に浮いたエレベーター（エレベーター構造規格）、ゴンドラ（ゴンドラ安全規格）とは全く異なる昇降設備となり、労働安全衛生規則では適応除外となるため、設置、撤去における届出等が不要となり、工事の短縮に大いに貢献出来る。
【００４５】
メンテナンス用昇降機５０に乗り込んだ作業工程員Ｈｕが、ラックレール架設板３０、ラックレール１０を上方に延ばして、風力発電タワー１０１の頂端までラックレール１０を順次継ぎ足していったら、メンテナンス用昇降機５０に積み込んだ吊り上げ用の滑車６２を有する滑車付バンド６０を、風力発電タワー１０１の頂端に吊り上げ、巻き付け固定する（図１（ｂ））。
【００４６】
風力発電タワー１０１の頂端までラックレール１０を架設したら、メンテナンス用昇降機５０を一旦降ろし、図５に示すように、メンテナンス用昇降機５０とブレード点検用作業台７０とを連結部７１により連結する。ブレード点検用作業台７０は、連結された基端から風力発電タワー１０１に対して直角方向に張り出す形状をしており、ブレード点検用作業台７０の足場プレート７２の上部には安全柵７３を取付けている。
【００４７】
ブレード点検用作業台７０の先端の左右両端には滑車７５が設けられ、風力発電タワー１０１の頂端に吊り上げられた滑車付バンド６０の滑車６２と地上に設置したウィンチ巻き上げ機６５によりブレード点検用作業台７０を所定位置まで移動させることが出来る。なお、移動させるにあたり、メンテナンス用昇降機の駆動装置と同期を取って移動するようにしたので、ブレード点検用作業台が傾くことなく移動することができる。
【００４８】
ブレード点検用作業台７０をメンテナンス用昇降機５０の昇降用の駆動装置４０に連結するにあたり、ブレード点検用作業台７０の基端は、図６に示すように、上下、左右に移動可能なフレキシブルジョイント７６ａ、７６ｂが設けられているので、ブレード点検用作業台７０を移動させたとき風力、風向等の変動にも対応することができる。また、ブレード点検用作業台７０は、図７に示すように、ブレード１０２ａを一回転させなくてもブレード１０２ａの裏側を補修可能とする移動式足場７４を付設している。
【００４９】
このようにして風力発電設備１００の何の手掛かりもない風力発電タワー１０１の外周面に、図８に示すように、メンテナンスの手掛かりとなるラックレール１０を取り付け、メンテナンス用昇降機５０の昇降用の駆動装置４０にブレード点検用作業台７０を連結し、ブレード点検用作業台７０の先端は滑車付バンド６０の滑車６２及び地上に設置したウィンチ巻き上げ機６５により、ブレード点検用作業台７０の基端はメンテナンス用昇降機５０の駆動装置４０により、両者同期を取って移動する。
【００５０】
また、ブレード点検用作業台７０をメンテナンス用昇降機５０の駆動装置４０に連結するにあたり、ブレード点検用作業台７０の基端は、上下、左右に移動可能なフレキシブルジョイント７６ａ、７６ｂが設けられ（図６）、ブレード点検用作業台７０の先端は、両端の滑車７５、滑車付バンド６０の滑車６２、ウィンチ巻き上げ機６５を結ぶ吊りワイヤー６７、地上との間の支線ワイヤー６８により支えられているので、ブレード点検用作業台７０を移動させたとき風力、風向等の変動に対応することができ、予想を上回る強風が吹いたとしてもラックレール架設板３０を固着した強力マグネット２０が剥がれることはない。
【００５１】
このようにして、ブレード点検用作業台７０の上下移動により、傷んだ風車羽根（ブレード）１０２ａを取り外すことなく、風車羽根（ブレード）１０２ａの先端から根元まで補修することができる。風車羽根（ブレード）１０２ａの反対側を補修するには、風車羽根を一回転させれば補修できるが、一回転させるまでもない部分的な補修の場合は、図７に示すように、移動式足場７４を設けることによりその位置のままで補修することが出来る。
【００５２】
風車羽根（ブレード）１０２ａの補修が終わったら、ブレード点検用作業台７０とメンテナンス用昇降機５０を地上に降ろし、ブレード点検用作業台７０を外し、再びメンテナンス用昇降機５０に作業工程員を乗せて駆動装置４０で風力発電タワー１０１の頂端まで上昇し、ラックレール１０及びラックレール架設板３０を風力発電タワー１０１の外周面から取り外しながら下降する。ラックレール架設板３０を風車タワー１０１の外周面から取り外すにあたり、先ずは強力マグネット２０を風力発電タワー１０１の外周面から取り外す必要がある。
【００５３】
強力マグネット２０を風力発電タワー１０１の外周面から取り外すには、ブラケット２１に付設されたマグネット操作治具２４を用いる。即ち、マグネット操作治具２４の回転レバー２６を着磁側の反対側に回転させると偏心円板２５により風力発電タワー１０１の外周面と強力マグネット２０を螺着するフォルダー２２との間に僅かな間隙が生まれるので、簡単な操作で強力マグネット２０を風力発電タワー１０１の外周面から取り外すことができる。
【００５４】
以上、説明した上記のラックレール架設板３０に替わり、第２実施例によるラックレール架設板３０２を風力発電タワー１０１の外周面に取付ける具体的手順を説明する。ラックレール架設板３０２は、図１０に示すように、角パイプ材３１２で形成され、角パイプ材３１２の後面側の両端に強力マグネット２０２を固定するための取付部３２２Ｒ、３２２Ｌが溶接され、ブラケット２１２を中心にして両側に強力マグネット２０２が固定される。ブラケット２１２は、ラックレール架設板３０２の両端に固定された強力マグネット２０２を、先細り円筒状の形状の風力発電タワー１０１の外周面に密着して固着できるように、角度が調整できるようにしたものである。
【００５５】
ラックレール架設板３０２を形成する角パイプ材３１２の前面側の中央は、ラックレール１０を架設するレール架設部３４２が溶接された取付ホルダー３３２が螺着され、ラックレール１０をレール架設部３４２にボルト止めする。ラックレール１０の外側面には、その全長にわたって、ラック１１を設けている。又、ラックレール１０の片側はレールジョイント１２による差し込み構造となっており、順次ラックレール１０を継ぎ足して連結出来る構造となっている。１本のラックレール１０の長さは、起立姿勢の作業者が手を上に伸ばして届く程度の定寸に設定している。
【００５６】
このラックレール架設板３０２を風力発電タワー１０１の外周面に取付けるには、先ず、風力発電タワー１０１の基端に、１本目となるラックレール１０を水準器Ｓｈを使用して垂直に立てる。次に、図１１（ａ）に示すように、レール架設部３４２にボルト止めするためのラックレール１０のビス孔にマグネット位置決め治具Ｍｊをボルトで仮止めする。マグネット位置決め治具Ｍｊは、図１３（ａ）に示すように、中心に仮止め固定部Ｍｋを立設し、中心から左右等間隔に延設したウィングＭｗ１、Ｍｗ２を備えた形状である。ウィングＭｗ１、Ｍｗ２はプラスチック板のような可撓性の材料で形成され、その中心には、水平線Ｍｈが引かれている。
【００５７】
次に、図１１（ｂ）に示すように、仮止めされたマグネット位置決め治具Ｍｊの両ウィングＭｗ１、Ｍｗ２を風力発電タワー１０１に手で合わせて、左右ウィングＭｗ１、Ｍｗ２の中心と両端の上下の角を風力発電タワー１０１の外周面にマーキングする。次に、図１１（ｃ）に示すように、仮止めしたマグネット位置決め治具Ｍｊを取り外し、風車タワー１０１の外周面にマーキングした左右ウィングＭｗ１、Ｍｗ２の中心ｍ１と上下の角ｍ２、ｍ３を線で結ぶ。
【００５８】
次に、図１１（ｄ）に示すように、中心のマーキング位置ｍ１に強力マグネット２０２が固定されたブラケット２１２を合わせ、両端のマーキング位置ｍ２、ｍ３に強力マグネット２０２の角を合わせて、内側に強力マグネット２０２を倒して、図１１（ｅ）に示すように、風力発電タワー１０１の外周面の所定位置に所定間隔を隔てて固着させ、図１１（ｆ）に示すように、固着させた強力マグネット２０２のブラケット２１２にラックレール架設板３０２の取付部３２２Ｒ、３２２Ｌを固定し、風力発電タワー１０１の基端に１段目のラックレール架設板３０２を固着する。
【００５９】
１段目のラックレール架設板３０２に１本目となるラックレール１０を架設したら、図１２（ａ）に示すように、続いて２本目のラックレール１０を１本目のラックレール１０のレールジョイント１２に差し込んで連結し、２本目のラックレール１０を水準器Ｓｈを使用して垂直に立設する。２本目のラックレール１０にマグネット位置決め治具Ｍｊを仮止めし、上述したようにマグネット位置決め治具Ｍｊを用いて強力マグネット２０２の位置決めをして強力マグネット２０２を風力発電タワー１０１の外周面に固着させ、２段目のラックレール架設板３０２を固着する。更に、３本目のラックレール１０を２本目のラックレール１０に差し込んで連結し、水準器Ｓｈを使用して垂直に立設する。同様に、３本目のラックレール１０にマグネット位置決め治具Ｍｊを仮止めし、マグネット位置決め治具Ｍｊを用いて強力マグネット２０２の位置を決める。なお、ラックレール架設板３０２を風力発電タワー１０１の外周面に固着させるにあたり、ラックレール架設板３０２は直線状であるのに対し、風力発電タワー１０１の外周面は大きな弧をなしているため、図１２（ｂ）に示すように、ブラケット２１２により強力マグネット２０２の角度を調整している。
【００６０】
１本目、２本目のラックレール１０を架設し終えたら、第１実施例と同様にして風力発電タワー１０１の頂端までラックレール１０を架設し、ブレード点検用作業台７０に乗り込んだ作業工程員Ｈｕがブレード点検用作業台７０の上下移動により、傷んだ風車羽根（ブレード）１０２ａを取り外すことなく、風車羽根（ブレード）１０２ａの先端から根元まで補修する。
【００６１】
風車羽根（ブレード）１０２ａの補修が終わったら、ブレード点検用作業台７０とメンテナンス用昇降機５０を地上に降ろし、ブレード点検用作業台７０を外し、再びメンテナンス用昇降機５０にマグネット取り外し治具Ｋｊを持った作業工程員を乗せて駆動装置４０で風力発電タワー１０１の頂端まで上昇し、ラックレール１０及びラックレール架設板３０２を風力発電タワー１０１の外周面から取り外しながら下降する。ラックレール架設板３０２を風力発電タワー１０１の外周面から取り外すにあたり、先ずは強力マグネット２０２を風力発電タワー１０１の外周面から取り外す必要がある。
【００６２】
図１４（ａ）は、強力マグネット２０２を風力発電タワー１０１の外周面から取り外すためのマグネット取り外し治具Ｋｊを示し、ハンドルＫｈとＵ字嵌Ｋｕを備えている。なお、ハンドルＫｈは持ち運びやすいように真中から折れ曲がった構造であり、Ｕ字嵌Ｋｕの先端はゴムＫｇがカバーされている。
【００６３】
マグネット取り外し治具Ｋｊを用いて強力マグネット２０２を風力発電タワー１０１の外周面から取り外す手順を説明する。先ず、マグネット取り外し治具ＫｊのハンドルＫｈを延ばし（図１４（ｂ））、Ｕ字嵌Ｋｕを強力マグネット２０２に嵌め込み、ハンドルＫｈを矢印Ｙａの方向に押し（図１４（ｃ））、強力マグネット２０２と風車タワー１０１の外周面との間に空間を開け、強力マグネット２０２を風力発電タワー１０１の外周面から取り外す（図１４（ｄ））。Ｕ字嵌Ｋｕの先端のゴムＫｇによりＵ字嵌Ｋｕを強力マグネット２０２に嵌め込んだとき滑らないようにしている。
【００６４】
以上の説明によって明らかな様に、本発明による風力発電設備の風車羽根のメンテナンス工法によれば、以下に列挙した如き実用上の極めて有益な効果が得られる。
（ａ）運搬や運転操作上の制約等の為に、巨大クレーを使えない状況にある場所でも、場所的制約等の為に、大掛かりな作業用櫓を構築出来ない場所でも、簡単に施工出来る。
（ｂ）４台のメンテナンス用昇降機と４名の作業工程員とが必要であった作業工程を、１台のメンテナンス用昇降機と少数の作業工程員によって可能とすることができるので、工費及び工期を大幅に短縮出来る。
（ｃ）然も、４本のラックレールが必要であったが１本のラックレールで可能としたので、材料のコストも大幅に削減出来る。
（ｄ）風力発電タワーの様に、その設置域一帯が園地化されていても、補修作業に伴って園地が荒らされる範囲を最小限に留められる。
（ｅ）風力発電タワーが海上に構築されている場合でも、本発明の優れた多くの特長を、そのまま最大限に発揮出来る。
（ｆ）ブレード点検用作業台は、予想を上回る強風が吹いたとしても、フレキシブルジョイントと支線ワイヤーにより、ラックレール架設板を固着した強力マグネットが剥がれることはない。
（ｇ）所要工期が６０日以上の場合は、施工の許可申請を要する旨の、関連法規があるが、本発明工法は、メンテナンス用昇降機の設置、撤去における届出等が不要となり、所要工期が６０日も掛からないので、この許可申請の手間が省ける。
【符号の説明】
【００６５】
１００    風力発電設備
１０１    風力発電タワー
１０２    風車
１０２ａ  風車羽根
１０  ラックレール
１１  ラック
２０  強力マグネット
２１  ブラケット
２２  フォルダー
２３  ブラケット固定ホルダー取り付け部
２４  マグネット操作治具
２５  偏心円板
２６  回転レバー
３０  ラックレール架設板（第１実施例）
３１  角パイプ材
３２Ｒ、３２Ｌ  ブラケット固定ホルダー
３３  レール架設ホルダー
３４  レール架設部
４０  昇降用の駆動装置
５０  メンテナンス用昇降機
６０  滑車付バンド
６２  滑車
６５  ウィンチ巻き上げ機
６７  吊りワイヤー
６８  支線ワイヤー
７０  ブレード点検用作業台
７１  連結部
７２  足場プレート
７３  安全柵
７４  移動式足場
７６ａ、７６ｂ  フレキシブルジョイント
Ｍｊ  マグネット位置決め治具
Ｋｊ  マグネット取り外し治具
Ｈｕ  作業工程員
Ａｒ  安全ロープ
【図１】
0005349411.tif 000002
【図２】
0005349411.tif 000003
【図３】
0005349411.tif 000004
【図４】
0005349411.tif 000005
【図５】
0005349411.tif 000006
【図６】
0005349411.tif 000007
【図７】
0005349411.tif 000008
【図８】
0005349411.tif 000009
【図９】
0005349411.tif 000010
【図１０】
0005349411.tif 000011
【図１１】
0005349411.tif 000012
【図１２】
0005349411.tif 000013
【図１３】
0005349411.tif 000014
【図１４】
0005349411.tif 000015
【図１５】
0005349411.tif 000016
【図１６】
0005349411.tif 000017